(57)【要約】【課題】臭覚の慣れを抑制し従来の装置よりも森林浴の効果を飛躍的に高めることが可能な人工森林浴換気システムを提供する。【解決手段】外気を屋内に給気し屋内の空気を排気する中間ダクト給排気ファン１０１と、中間ダクト給排気ファン１０１の給気側にフィトンチッドを供給するフィトンチッド供給装置１０２と、屋内への給気量にゆらぎを生じさせるように中間ダクト給排気ファン１０１を制御するゆらぎ制御装置１０３と、給気口１０４、１０５と、排気口１０６と、中間ダクト給排気ファン１０１と給気口１０４、１０５とを接続するダクト１０７と、中間ダクト給排気ファン１０１と排気口１０６とを接続するダクト１０８と、を備えた構成を有している。【選択図】図１
2007285567.tif 000002
【特許請求の範囲】
【請求項１】
外気を取り入れて給気口から屋内に給気する中間ダクト給気ファンと、前記屋内の排気口から吸気して屋外に排気する中間ダクト排気ファンと、を備えて換気を行う換気システムにおいて、
前記中間ダクト給気ファンにフィトンチッドを供給するフィトンチッド供給装置と、
前記屋内への給気量にゆらぎを生じさせるように前記中間ダクト給気ファンを制御するゆらぎ制御装置と、
を備えることを特徴とする人工森林浴換気システム。
【請求項２】
外気を取り入れて送風する中間ダクト給気ファンと、前記中間ダクト給気ファンから送風された空気を分岐して屋内の対応する複数の給気口から給気する分岐チャンバーと、前記屋内の複数の排気口にダクトを介して接続される集合チャンバーと、前記集合チャンバーを介して前記各排気口に接続される中間ダクト排気ファンと、を備えて換気を行う換気システムにおいて、
前記分岐チャンバーにフィトンチッドを供給するフィトンチッド供給装置と、
前記屋内への給気量にゆらぎを生じさせるように前記中間ダクト給気ファンを制御するゆらぎ制御装置と、
を備えることを特徴とする人工森林浴換気システム。
【請求項３】
前記中間ダクト給気ファン、前記中間ダクト排気ファン、前記フィトンチッド供給装置、前記ゆらぎ制御装置、前記分岐チャンバー、及び前記集合チャンバーを前記屋内の共用部に設置し、前記複数の給気口を前記屋内の専用部の居室に設置し、前記複数の排気口を前記専用部内の非居室に設置することを特徴とする請求項２に記載の人工森林浴換気システム。
【請求項４】
前記中間ダクト給気ファンと前記中間ダクト排気ファンとが一体として設けられ全熱交換可能となっていることを特徴とする請求項１乃至請求項３のいずれか１項に記載の人工森林浴換気システム。
【請求項５】
前記中間ダクト給気ファンが、前記屋内の空気圧が陽圧となるように給気することを特徴とする請求項１乃至請求項４のいずれか１項に記載の人工森林浴換気システム。
【請求項６】
前記中間ダクト給気ファンが、外気をろ過するフィルターを有することを特徴とする請求項１乃至請求項５のいずれか１項に記載の人工森林浴換気システム。
【請求項７】
前記ゆらぎ制御装置が、前記給気量に１／ｆゆらぎを生じさせるように前記中間ダクト給気ファンを制御することを特徴とする請求項１乃至請求項６のいずれか１項に記載の人工森林浴換気システム。
【請求項８】
いずれか１つ以上の前記給気口が、開口を調節することが可能な、パンカールーバーを含むノズルを有することを特徴とする請求項１乃至請求項７のいずれか１項に記載の人工森林浴換気システム。
【請求項９】
隣り合う前記給気口と前記排気口とを隔てる壁または建具のいずれか１つ以上に、ガラリを設けて通気性を高めたことを特徴とする請求項１乃至請求項８のいずれか１項に記載の人工森林浴換気システム。
【発明の詳細な説明】
【技術分野】
【０００１】
本発明は、戸建て住宅、集合住宅、老人ホーム等において、森林浴効果を奏することができるように換気を行う人工森林浴換気システムに関する。
【背景技術】
【０００２】
近年、居住空間の快適性、居住者の健康衛生等の観点から、戸建ての住宅、集合住宅、老人ホーム等における換気の重要性が高まっている。具体的には、建材等から放出される揮発性有機溶剤等の影響を緩和するための２４時間換気、芳香発生、脱臭等を行って快適性を高めるための換気等が関心を集めている。従来、このような換気を行う換気システムとして、以下のものが知られている（例えば、特許文献１〜３参照。）。
【０００３】
まず、特許文献１に記載の従来の脱臭兼芳香システムでは、脱臭と芳香発生のための拡散とが交互に行われ、１／ｆゆらぎとなるように送風されていた。また、特許文献２に記載の従来の空気調整システムでは、メインダクトに消臭装置が接続され、脱臭効果を奏するように換気が行われていた。さらに、特許文献３に記載の従来の換気システムでは、外気の給気口に、フィトンチッドの発生源を有するフィルターボックスが設けられていた。
【特許文献１】特開平０６−２３７９８１号公報
【特許文献２】特開平１０−２０５８１３号公報
【特許文献３】特開２００１−４１８６号公報
【発明の開示】
【発明が解決しようとする課題】
【０００４】
しかしながら、特許文献１に記載の従来の脱臭兼芳香システムでは、脱臭と芳香発生又は消臭が行われ、外気を取り入れた森林浴の効果を十分機能させることができないという問題を有していた。
また、特許文献２に記載の従来の空気調整システム又は特許文献３に記載の従来の換気システムでは、森林浴の効果を期待するものの、居住者等の臭覚が慣れてしまい、臭覚を介した効果を十分奏することができないという問題を有していた。
【０００５】
以上の現状に鑑み、本発明の目的は、臭覚の慣れを抑制し従来の装置よりも森林浴の効果を高めることが可能な人工森林浴換気システムを提供する。
【課題を解決するための手段】
【０００６】
上記の課題を解決すべく、本発明は以下の構成を提供する。
請求項１に係る発明は、外気を取り入れて給気口から屋内に給気する中間ダクト給気ファンと、前記屋内の排気口から吸気して屋外に排気する中間ダクト排気ファンと、を備えて換気を行う換気システムにおいて、前記中間ダクト給気ファンにフィトンチッドを供給するフィトンチッド供給装置と、前記屋内への給気量にゆらぎを生じさせるように前記中間ダクト給気ファンを制御するゆらぎ制御装置と、を備えることを特徴とする。
【０００７】
請求項２に係る発明は、外気を取り入れて送風する中間ダクト給気ファンと、前記中間ダクト給気ファンから送風された空気を分岐して屋内の対応する複数の給気口から給気する分岐チャンバーと、前記屋内の複数の排気口にダクトを介して接続される集合チャンバーと、前記集合チャンバーを介して前記各排気口に接続される中間ダクト排気ファンと、を備えて換気を行う換気システムにおいて、前記分岐チャンバーにフィトンチッドを供給するフィトンチッド供給装置と、前記屋内への給気量にゆらぎを生じさせるように前記中間ダクト給気ファンを制御するゆらぎ制御装置と、を備えることを特徴とする。
【０００８】
請求項３に係る発明は、請求項２に記載の人工森林浴換気システムにおいて、前記中間ダクト給気ファン、前記中間ダクト排気ファン、前記フィトンチッド供給装置、前記ゆらぎ制御装置、前記分岐チャンバー、及び前記集合チャンバーを前記屋内の共用部に設置し、前記複数の給気口を前記屋内の専用部の居室に設置し、前記複数の排気口を前記専用部内の非居室に設置することを特徴とする。
【０００９】
請求項４に係る発明は、請求項１乃至請求項３のいずれかに記載の人工森林浴換気システムにおいて、前記中間ダクト給気ファンと前記中間ダクト排気ファンとが一体として設けられ全熱交換可能となっていることを特徴とする。
【００１０】
請求項５に係る発明は、請求項１乃至請求項４のいずれかに記載の人工森林浴換気システムにおいて、前記中間ダクト給気ファンが、前記屋内の空気圧が陽圧となるように給気することを特徴とする。
【００１１】
請求項６に係る発明は、請求項１乃至請求項５のいずれかに記載の人工森林浴換気システムにおいて、前記中間ダクト給気ファンが、外気をろ過するフィルターを有することを特徴とする。
【００１２】
請求項７に係る発明は、請求項１乃至請求項６のいずれかに記載の人工森林浴換気システムにおいて、前記ゆらぎ制御装置が、前記給気量に１／ｆゆらぎを生じさせるように前記中間ダクト給気ファンを制御することを特徴とする。
【００１３】
請求項８に係る発明は、請求項１乃至請求項７のいずれかに記載の人工森林浴換気システムにおいて、いずれか１つ以上の前記給気口が、開口を調節することが可能な、パンカールーバーを含むノズルを有することを特徴とする。
【００１４】
請求項９に係る発明は、請求項１乃至請求項８のいずれかに記載の人工森林浴換気システムにおいて、隣り合う前記給気口と前記排気口とを隔てる壁または建具のいずれか１つ以上に、ガラリを設けて通気性を高めたことを特徴とする。
【発明の効果】
【００１５】
請求項１及び請求項２に係る発明によれば、中間ダクト給気ファンにフィトンチッドを供給するフィトンチッド供給装置と、屋内への給気量にゆらぎを生じさせるように中間ダクト給気ファンを制御するゆらぎ制御装置とを設けたため、給気量のゆらぎによって臭覚の慣れが抑制され、従来の装置よりも森林浴の効果を飛躍的に高めることが可能な人工森林浴換気システムを実現することができる。
【００１６】
請求項３に係る発明によれば、上記請求項２の効果に加えて、前記中間ダクト給気ファン、前記中間ダクト排気ファン、前記フィトンチッド供給装置、前記ゆらぎ制御装置、前記分岐チャンバー、及び前記集合チャンバーを前記屋内の共用部に設置し、前記複数の給気口を前記屋内の専用部の居室に設置し、前記複数の排気口を前記専用部内の非居室に設置するため、これらを各専用部に分散して設けずに済み、森林浴効果を奏する換気を集約的に行うことができ設置及び保守管理のためのコスト削減が図れると共に、専有者以外の第３者が専用部に入らずに、中間ダクト給気ファン、フィトンチッド生成装置、ゆらぎ制御装置等の保守管理を容易に行うことができる。
【００１７】
請求項４に係る発明によれば、上記請求項１乃至請求項３のいずれかの効果に加えて、中間ダクト給気ファンと中間ダクト排気ファンとが一体として設けられ全熱交換可能となっているため、室内の気温の変化を抑制できると共に冷暖房に係るエネルギーを節約することが可能な人工森林浴換気システムを実現することができる。
【００１８】
請求項５に係る発明によれば、上記請求項１乃至請求項４のいずれかの効果に加えて、中間ダクト給気ファンが、屋内が陽圧となるように給気するため、給気ルート以外からの外気の進入が低減され屋内のフィトンチッドの濃度の低下を抑制ことができる。
【００１９】
請求項６に係る発明によれば、上記請求項１乃至請求項５のいずれかの効果に加えて、中間ダクト給気ファンが、外気をろ過するフィルターを有するため、外気に含まれるほこり、花粉、自動車の排気ガス等を集中的に取り除くことができると共に、フィルターが点在して配置される構成に比較してフィルターの保守を容易にすることができる。
【００２０】
請求項７に係る発明によれば、上記請求項１乃至請求項６のいずれかの効果に加えて、ゆらぎ制御装置が、給気量に１／ｆゆらぎを生じさせるように中間ダクト給気ファンを制御するため、そよ風と同様に生理的、心理的快適さを提供することができる。
【００２１】
請求項８に係る発明によれば、上記請求項１乃至請求項７のいずれかの効果に加えて、いずれか１つ以上の給気口が、開口を調節することが可能な、パンカールーバーを含むノズルを有するため、簡易な開口部だけの構成の給気口に比較して吹き出し速度を速くでき、もって周囲の空気を誘引することで見かけの換気量を大きくし換気による森林浴効果をさらに向上させることができる。つまり、パンカールーバー等のノズルの開口面積を絞ることによって吹き出し速度を速めることができると共に、吹き出し方向を空気が室内全体に大きく輪を描くように設定することで、まわりの空気を誘引して室内全体にゆっくりとした空気の慣性的回転を与えることができる。さらに、室内全体に大きく循環させた空気を非居室に設けられた排気口を介して中間ダクト排気ファンで強制排気することによって、室内のＣＯ２などで汚れた空気を効率よく排気することができる。
【００２２】
請求項９に係る発明によれば、上記請求項１乃至請求項８のいずれかの効果に加えて、隣り合う給気口と排気口とを隔てる壁または建具のいずれか１つ以上に、ガラリを設けて通気性を高めたため、ドア等を開閉することなく空気の流れを確保でき、換気を効果的に行うことできる。
【発明を実施するための最良の形態】
【００２３】
以下、実施例を示した図面を参照しつつ本発明の実施の形態について説明する。
図１は、本発明による人工森林浴換気システムの一実施例を概略的に示す断面図である。人工森林浴換気システムは、図１に示すように、外気を屋内に給気し屋内の空気を排気する中間ダクト給排気ファン１０１と、中間ダクト給排気ファン１０１の給気側にフィトンチッドを供給するフィトンチッド供給装置１０２と、中間ダクト給排気ファン１０１を制御するゆらぎ制御装置１０３と、給気口１０４、１０５と、排気口１０６と、中間ダクト給排気ファン１０１と給気口１０４、１０５とを接続するダクト１０７と、中間ダクト給排気ファン１０１と排気口１０６とを接続するダクト１０８と、を備える。
【００２４】
中間ダクト給排気ファン１０１は、外気を取り入れて給気口１０４、１０５から屋内に給気すると共に、屋内の排気口１０６から吸気して屋外に排気するようになっている。中間ダクト給排気ファン１０１は少なくとも部屋Ａ、Ｂ内が陽圧となるように給排気を行うのでもよく、これによって、給気ルート以外からの外気の進入が低減され屋内Ａ、Ｂのフィトンチッドの濃度の低下を抑制でき、好ましい。
【００２５】
中間ダクト給排気ファン１０１は、また、給排気間で全熱交換できるようになっているのでもよく、これによって、室内の空気の温度及び湿度の変化を抑制できると共に冷暖房に係るエネルギーを節約でき、好ましい。
【００２６】
さらに、中間ダクト給排気ファン１０１は、外気をろ過するフィルターを給気側に有するのでもよく、これによって、外気に含まれるほこり、花粉、自動車の排気ガス等を集中的に取り除くことができると共に、フィルターが点在して配置される構成に比較してフィルターの保守が容易になり、好ましい。
【００２７】
フィトンチッド供給装置１０２は、中間ダクト給排気ファン１０１の給気側にフィトンチッドを供給するようになっている。フィトンチッドは、植物から抽出される成分であり森林浴効果を奏することができる物質として知られ、空気中に含ませることによって、消臭及び殺菌効果、オゾン、ＮＯｘ、ホルムアルデヒド等の化学物質の低減効果、芳香による生理的及び心理的なリフレッシュ効果、精神安定効果等を奏することができ、もって屋内の環境を向上することができる。
【００２８】
ゆらぎ制御装置１０３は、屋内への給気量にゆらぎを生じさせるように中間ダクト給排気ファン１０１を制御するようになっている。屋内への給気量にゆらぎを生じさせるによって、フィトンチッドに対する人の臭覚の慣れを防ぎ、生理的及び心理的なリフレッシュ効果、精神安定効果を一層向上させることができる。ここで、上記のゆらぎを１／ｆゆらぎとすることは、そよ風と同様に心理的快適さを提供することができ、好ましい。
【００２９】
給気口１０４、１０５は、開口を調節することが可能な、例えばパンカールーバー等のノズルを用いて構成され、吹き出し速度を速めることができるようになっている。ノズルは、簡易な開口部だけの構成の給気口に比較して吹き出し速度を速くできるため、周囲の空気を誘引して空気の循環を高め、換気の効果及び森林浴効果をさらに向上させることが可能となる。ここで、パンカールーバーは、開口、すなわち開口量及び向きを調節することができ、特に好ましい。また、給気口１０４、１０５のノズルからの吹き出し方向を調節し、給気された空気が例えば図１に矢印を用いて示すように室内又は屋内全体を大きく循環するようにすることは、まわりの空気を誘引して室内全体にゆっくりとした空気の慣性的回転を与えることができ、好ましい。さらに、循環させた空気を部屋Ａ、Ｂ以外の部分（以下、非居室という。）Ｃに設けられた排気口１０６を介して中間ダクト排気ファン１０１で強制排気することによって、室内のＣＯ２などで汚れた空気を効率よく排気することができるため、好ましい。
【００３０】
排気口１０６は、屋内の非居室Ｃに設けられる。このように構成することによって、排気口１０６を部屋Ａ、Ｂ内に設けるよりもフィトンチッドを部屋Ａ、Ｂ内に保持でき、さらに森林浴効果を高めることができる。また、給気口１０４、１０５と排気口１０６とを隔てる壁または建具にガラリ１０９、１１０を設けて通気性を高めるのは、ドア等を開閉することなく空気の流れを確保でき、換気を効果的に行うことが可能となり、好ましい。
【００３１】
図１に示すように、中間ダクト給排気ファン１０１の機構部分、フィトンチッド供給装置１０２及びゆらぎ制御装置１０３を集中させることは、保守等の観点から好ましい。
【００３２】
なお、上記では、給気に係る構成部と排気に係る構成部とを一体にした中間ダクト給排気ファン１０１を備えた人工森林浴換気システムについて説明したが、給気及び排気に係る構成部をそれぞれ個別に中間ダクト給気ファンと中間ダクト排気ファンとに分離した構成でもよい。この場合、中間ダクト給気ファンは外気を取り入れて給気口から屋内に給気し、中間ダクト排気ファンは中間ダクト給気ファンにフィトンチッドを供給する。
【００３３】
図２は、本発明による人工森林浴換気システムを複数の部屋を有する建物に適用した一実施例を概略的に示す平面図である。図２に示す構成では、中間ダクト給排気ファン２０１と給気口２０４〜２０７との間に分岐チャンバー２１７が設けられ、中間ダクト給排気ファン２０１から送風された空気が分岐して給気口２０４〜２０７から給気されると共に、中間ダクト給排気ファン２０１と排気口２０８〜２１１との間に集合チャンバー２１８が設けられ、排気口２０８〜２１１から吸気された空気が集中的に排気されるようになっている。
【００３４】
中間ダクト給排気ファン２０１、フィトンチッド供給装置２０２、ゆらぎ制御装置２０３、分岐チャンバー２１７、及び集合チャンバー２１８を屋内の共用部Ｇに設置し、複数の給気口２０４２０６を屋内の専用部の居室Ｄ〜Ｆに設置し、複数の排気口２０８〜２１０を専用部内の非居室に設置するのでもよい。このように構成することによって、中間ダクト給排気ファン２０１、フィトンチッド供給装置２０２、ゆらぎ制御装置２０３、分岐チャンバー２１７、及び集合チャンバー２１８を各専用部に分散して設けずに済み、森林浴効果を奏する換気を集約的に行うことができ設置及び保守管理のためのコスト削減が図れる。また、専有者以外の第３者が、専用部に入らずに、これらの保守管理を容易に行うことができる。
【図面の簡単な説明】
【００３５】
【図１】本発明による人工森林浴換気システムの一実施例を概略的に示す断面図である。
【図２】本発明による人工森林浴換気システムを複数の部屋を有する建物に適用した一実施例を概略的に示す平面図である。
【符号の説明】
【００３６】
１０１、２０１  中間ダクト給排気ファン
１０２、２０２  フィトンチッド供給装置
１０３、２０３  ゆらぎ制御装置
１０４、１０５、２０４〜２０７  給気口
１０６、２０８〜２１１  排気口
１０７、１０８、２１２、２１３  ダクト
１０９、１１０、２１４〜２１６  ガラリ
Ａ、Ｂ  部屋
Ｄ〜Ｆ  専用部内の部屋
Ｃ  非居室
Ｇ  共用部
【図１】
2007285567.tif 000003
【図２】
2007285567.tif 000004